(57)【特許請求の範囲】
【請求項１】
水洗便器への供給洗浄水を貯留する貯水タンクと、
前記貯水タンクの底部に設けた排水孔の開閉を行う排水弁と、
前記貯水タンクの壁面に穿設した取付孔に嵌着したボス部と、
前記ボス部を回動可能に貫通したスピンドルと、
前記貯水タンク内の前記スピンドルの先端に前記スピンドルの回動軸と直交するように突設し、前記排水弁に一端が接続された可撓性の連結部材の他端を接続したブラケットと、
前記貯水タンク外の前記スピンドルの基端に前記スピンドルの回動軸と直交するように突設した操作用レバーハンドルと、を備え、前記操作用レバーハンドルを操作して前記排水弁の引き上げ操作を行う洗浄水タンク装置において、
前記ブラケット又は前記連結部材に、一定重量の重錘を取付けて、前記スピンドルの回動軸を中心とした前記操作用レバーハンドル側の重量モーメントと前記ブラケット側の重量モーメントとのバランスにより、前記操作用レバーハンドルの操作後の復帰時に前記操作用レバーハンドルが所定の位置に定置するように構成されると共に、前記重錘は、着脱自在に取り付けられ、変位自在に構成することにより、前記ブラケット側の重量モーメントを変換可能に構成したことを特徴とする洗浄水タンク装置。
【請求項２】
前記操作用レバーハンドルの復帰位置において、前記重錘の位置は、前記スピンドルの回動軸を中心として、前記操作用レバーハンドルの突設方向と反対側にオフセットしたことを特徴とする請求項１に記載の洗浄水タンク装置。
【請求項３】
前記所定の位置は、前記操作用レバーハンドルが略水平に突設される位置であることを特徴とする請求項１又は２に記載の洗浄水タンク装置。
【請求項４】
前記操作用レバーハンドルの復帰作動の慣性に基づく過復帰を一定範囲に規制するためのストッパーを、前記スピンドルに連動する前記操作用レバーハンドルの内部と前記貯水タンクに固定した前記ボス部との間に介在したことを特徴とする請求項１〜３のいずれか１項に記載の洗浄水タンク装置。
【発明の詳細な説明】
【技術分野】
【０００１】
本発明は、洗浄水タンク装置に関する。
【背景技術】
【０００２】
従来から、洗浄水タンク装置として、貯水タンクの壁面に穿設した取付孔にボス部を嵌着し、このボス部を回動可能に貫通したスピンドルに操作用レバーハンドルを設け、この操作用レバーハンドルを操作して排水弁を引き上げ操作することにより、同排水弁を貯水タンクの底部に設けた排水孔から離反して、貯水タンクに貯留した洗浄水を水洗便器へ供給するものが広く知られている。通常、このような操作用レバーハンドルは、操作後に使用者の手から解放されると、何らの操作も受けていない操作前の中立位置に復帰するように構成されている。
【０００３】
例えば、特許文献１に記載の洗浄水タンク装置では、一端を操作用レバーハンドルの下部に連結し、他端を貯水タンクの外側面に固定したバネを備え、バネの弾性力により、操作用レバーハンドルを操作前の中立位置に向けて回転復帰させている。一方で、かかる洗浄水タンク装置では、操作用レバーハンドルの内部と貯水タンクに固定したボス部とにそれぞれストッパを設け、操作用レバーハンドルの内部のストッパをボス部のストッパに当接させることにより、操作用レバーハンドルの中立位置を規定している。
【特許文献１】特開２００３−３３６９０３号公報
【発明の開示】
【発明が解決しようとする課題】
【０００４】
ところが、洗浄水タンク装置では、貯水タンクが、通常陶器で構成されていることから、焼成により貯水タンクの側面に穿設した取付孔が歪み、結果として、ボス部のストッパ位置がずれることがある。
【０００５】
ボス部のストッパ位置がずれると、各洗浄水タンク装置の操作用レバーハンドルの中立位置にバラツキを生じるという問題がある。また、操作用レバーハンドルを中立位置に回転復帰させるためのバネ等が貯水タンク外に露出することは、見栄えの面で好ましくない。
【０００６】
そこで、本発明は、貯水タンクの取付孔に歪みがあっても、見栄えを損ねることなく、操作用レバーハンドルの中立位置を一定の位置に保持することのできる洗浄水タンク装置を提供することを目的とする。
【課題を解決するための手段】
【０００７】
上記目的を達成するため、請求項１に記載の発明は、水洗便器への供給洗浄水を貯留する貯水タンクと、前記貯水タンクの底部に設けた排水孔の開閉を行う排水弁と、前記貯水タンクの壁面に穿設した取付孔に嵌着したボス部と、前記ボス部を回動可能に貫通したスピンドルと、前記貯水タンク内の前記スピンドルの先端に前記スピンドルの回動軸と直交するように突設し、前記排水弁に一端が接続された可撓性の連結部材の他端を接続したブラケットと、前記貯水タンク外の前記スピンドルの基端に前記スピンドルの回動軸と直交するように突設した操作用レバーハンドルと、を備え、前記操作用レバーハンドルを操作して前記排水弁の引き上げ操作を行う洗浄水タンク装置において、前記ブラケット又は前記連結部材に、一定重量の重錘を取付けて、前記スピンドルの回動軸を中心とした前記操作用レバーハンドル側の重量モーメントと前記ブラケット側の重量モーメントとのバランスにより、前記操作用レバーハンドルの操作後の復帰時に前記操作用レバーハンドルが所定の位置に定置するように構成されると共に、前記重錘は、着脱自在に取り付けられ、変位自在に構成することにより、前記ブラケット側の重量モーメントを変換可能に構成したことを特徴とする。
【０００８】
請求項２に記載の発明は、請求項１に記載の発明において、前記操作用レバーハンドルの復帰位置において、前記重錘の位置は、前記スピンドルの回動軸を中心として、前記操作用レバーハンドルの突設方向と反対側にオフセットしたことを特徴とする。
【００１１】
請求項３に記載の発明は、請求項１又は２に記載の発明において、前記所定の位置は、前記操作用レバーハンドルが略水平に突設される位置であることを特徴とする。
【００１２】
請求項４に記載の発明は、請求項１〜３のいずれか１項に記載の発明において、前記操作用レバーハンドルの復帰作動の慣性に基づく過復帰を一定範囲に規制するためのストッパーを、前記スピンドルに連動する前記操作用レバーハンドルの内部と前記貯水タンクに固定した前記ボス部との間に介在したことを特徴とする。
【発明の効果】
【００１３】
請求項１に記載の発明によれば、水洗便器への供給洗浄水を貯留する貯水タンクと、貯水タンクの底部に設けた排水孔の開閉を行う排水弁と、貯水タンクの壁面に穿設した取付孔に嵌着したボス部と、ボス部を回動可能に貫通したスピンドルと、貯水タンク内のスピンドルの先端にスピンドルの回動軸と直交するように突設し、排水弁に一端が接続された可撓性の連結部材の他端を接続したブラケットと、貯水タンク外のスピンドルの基端にスピンドルの回動軸と直交するように突設した操作用レバーハンドルと、を備え、操作用レバーハンドルを操作して排水弁の引き上げ操作を行う洗浄水タンク装置において、ブラケット又は連結部材に、一定重量の重錘を取付けて、スピンドルの回動軸を中心とした操作用レバーハンドル側の重量モーメントとブラケット側の重量モーメントとのバランスにより、操作用レバーハンドルの操作後の復帰時に操作用レバーハンドルが所定の位置に定置するように構成したので、貯水タンクの取付孔に歪みがあっても、この取付孔に嵌着したボス部に操作用レバーハンドルの中立位置を当接規定するためのストッパ等を設けることなく、操作用レバーハンドルの中立位置を一定の位置に保持することができる。しかも、重錘が貯水タンク内に設けられていることから、外部から視認されることがなく、見栄えを損ねることもない。また、重錘は、着脱自在であるので、仮に操作用レバーハンドルの形状が変更された場合であっても、適宜重錘を交換することにより、ブラケット側の重量モーメントを容易に調整することができる。また、重錘は、変位自在に構成することにより、ブラケット側の重量モーメントを変換可能に構成したので、操作用レバーハンドルの形状のバラツキ等に起因して操作用レバーハンドル側の重量モーメントにバラツキのある場合であっても、重錘を交換することなくブラケット側の重量モーメントを容易に調整することができる。
【００１４】
請求項２に記載の発明によれば、操作用レバーハンドルの復帰位置において、重錘の位置は、スピンドルの回動軸を中心として、操作用レバーハンドルの突設方向と反対側にオフセットしたので、スピンドルの回動軸を中心とした操作用レバーハンドル側の重量モーメントと反対方向に作用するブラケット側の重量モーメントを生起させ、操作用レバーハンドルの中立位置を一定の位置に保持することができ、そのバラツキを回避することができる。
【００１７】
請求項３に記載の発明によれば、所定の位置は、操作用レバーハンドルが略水平に突設される位置であるので、操作用レバーハンドルに対して重力方向に力を加えて回転させるという人間の手にとって極めて容易な動きによって操作可能な位置である略水平位置を、操作用レバーハンドルの中立位置とすることができる。
【００１８】
請求項４に記載の発明によれば、操作用レバーハンドルの復帰作動の慣性に基づく過復帰を一定範囲に規制するためのストッパーを、スピンドルに連動する操作用レバーハンドルの内部と貯水タンクに固定したボス部との間に介在したので、操作用レバーハンドルの復帰作動の慣性に基づく操作用レバーハンドルの過復帰を防止することができる。
【発明を実施するための最良の形態】
【００１９】
以下に、本発明の実施形態について図面を参照しながら説明する。図１は、本発明の実施形態に係る洗浄水タンク装置を備えたトイレ装置を示す斜視図、図２は、本発明の実施形態に係る洗浄水タンク装置の内部構成を示す斜視図である。
【００２０】
図１及び図２に示すように、本実施形態に係る洗浄水タンク装置１は、トイレブース内に設置された水洗便器２へ洗浄水を供給するものであり、この洗浄水タンク装置１は、水洗便器２への供給洗浄水を貯留する貯水タンク１０と、貯水タンク１０内に水を供給、貯留するための給水装置２０と、貯水タンク１０の底部に設けた排水孔１０ｂの開閉を行う排水弁３４と、排水弁３４の引き上げ操作を行うための排水操作ハンドル装置３０と、を備えている。なお、図中、３９は、排水孔１０ｂに連通立設したオーバーフロー管であり、オーバーフロー管３９は、その下部において排水弁３４を回動自在に支持し、またその上端開口から貯水タンク１０内の過剰な水を排水孔１０ｂから排水する。
【００２１】
貯水タンク１０は、略矩形箱形状に形成されている。貯水タンク１０は、給水源ＷＳから給水された水を貯留し、この貯留水を洗浄水として貯水タンク１０の底部に設けた排水孔１０ｂから排水弁３４を開口して排水し、水洗便器２に洗浄水を供給する。
【００２２】
給水装置２０は、給水源ＷＳからの水を貯水タンク１０内に導入するための給水管２１と、給水管２１に連通連結し、給水管２１から貯水タンク１０内への吐水と止水を切替えるべく設けられたボールタップ弁装置からなる給水バルブ２２と、貯水タンク１０内の水位の上下動による浮力の変動を利用して給水バルブ２２の吐水と止水の切替え操作を行うフロート２３とを備えている。
【００２３】
この給水装置２０は、貯水タンク１０内の洗浄水の水位が低下したときにフロート２３が下降することにより給水バルブ２２を開いて、貯水タンク１０へ給水し、一方、貯水タンク１０内への給水により水位が上昇したときにフロート２３が上昇することにより給水バルブ２２を閉じる。この給水バルブ２２の作動によって、給水バルブ２２の下方に連通連結した下向きの吐出管２７から洗浄水が貯水タンク１０内に吐水あるいは止水される。この吐水、止水作用により貯水タンク１０内に満水時の水位が維持される。なお、図２中、２８は、一端が給水バルブ２２に連通連結され、他端がオーバーフロー管３９の上部に連通連結されたリフィール管である。
【００２４】
（排水操作ハンドル装置の構成について）
次に、排水操作ハンドル装置３０の具体的な構成について図３〜図５を参照して説明する。図３（ａ）は、排水操作ハンドル装置３０の分解斜視図、図３（ｂ）は、排水操作ハンドル装置３０の組立斜視図である。図４は、排水操作ハンドル装置３０の正面図、図５は、排水操作ハンドル装置３０の側断面図である。
【００２５】
図３〜図５に示すように、排水操作ハンドル装置３０は、貯水タンク１０の壁面１０ｃに穿設した取付孔１０ｄに嵌着したボス部３１と、ボス部３１を回動可能に貫通したスピンドル３２と、貯水タンク１０内のスピンドル３２の先端にスピンドル３２の回動軸３２ａと直交するように突設し、排水弁３４（図２参照）に一端が接続された可撓性の連結部材である玉鎖３５の他端を接続したブラケット３３と、貯水タンク１０外のスピンドル３２の基端にスピンドル３２の回動軸３２ａと直交するように突設した操作用レバーハンドル３６と、ブラケット３３に取り付けられた後述の重錘６０とを備えており、操作用レバーハンドル３６を回動操作して排水弁３４の引き上げ操作を行うように構成されている。なお、図２中、３７は、玉鎖３５を貫通し玉鎖３５の絡まりを防止するためのスリーブ、３８は、玉鎖３５の所定位置に装着されたフロートである。
【００２６】
ボス部３１は、スピンドル３２の回動軸３２ａ方向に延びた筒状を成すボス本体部３１ａの操作用レバーハンドル３６側の端部に、取付孔１０ｄの周縁部に当接する傾斜フランジ３１ｂを設け、同傾斜フランジ３１ｂのブラケット３３側に位置するボス本体部３１ａの外周面に取付孔１０ｄに嵌着される嵌着部３１ｃを設け、同嵌着部３１ｃのブラケット３３側に位置するボス本体部３１ａの外周面に雄ネジ部３１ｄを螺刻している。このボス部３１は、貯水タンク１０の壁面１０ｃに穿設された取付孔１０ｄに対し貯水タンク１０の外側から嵌着部３１ｃを嵌着し、貯水タンク１０の内側から雄ネジ部３１ｄに傾斜ワッシャ５２を環装し、六角ナット５１を締め付けて傾斜ワッシャ５２を取付孔１０ｄの周縁部に押圧状態で当接させ、傾斜フランジ３１ｂと傾斜ワッシャ５２との間に壁面１０ｃを狭持することによって壁面１０ｃに対して固定される。
【００２７】
スピンドル３２の基端側、すなわち、スピンドル３２の操作用レバーハンドル３６側には、筒状のボス本体部３１ａの内部を回動自在に貫通する断面視円筒状の軸心部５３が設けられている。軸心部５３の先端部は、筒状のボス本体部３１ａの内部を貫通して貯水タンク１０の側外方に延出しており、この軸心部５３の先端部に、表面に複数の楔を形成した係合凸部５３ａが設けられている。
【００２８】
一方、操作用レバーハンドル３６の内部に形成された筒状軸部４０ａの内側には、表面に係合凸部５３ａに対応する楔を形成した係合凹部４０ｂが設けられている。係合凸部５３ａが、係合凹部４０ｂに嵌入係合されることにより、スピンドル３２と操作用レバーハンドル３６とが回動軸３２ａ周りに一体回転できるように連結される。なお、図５中、４２は、固定ネジ、５３ｂは、軸心部５３の内部に螺刻された雌ネジ部であり、筒状軸部４０ａ内に挿入した固定ネジ４２を雌ネジ部５３ｂに螺着することによって、操作用レバーハンドル３６がスピンドル３２に対して抜け止め固定される。
【００２９】
操作用レバーハンドル３６は、略円柱状のハンドル本体部４０と、ハンドル本体部４０の側面から突設された板状のレバー部４１とを備えている。ハンドル本体部４０の内部中央には、筒状軸部４０ａが形成されている。そして、板状のレバー部４１が正面視で略水平方向に突設された位置（以下、操作用レバーハンドル３６の略水平位置とも言う。）となるように、操作用レバーハンドル３６がスピンドル３２に連結される。これにより、操作用レバーハンドル３６が何ら操作されていない中立位置にあるときは、レバー部４１は、図４に示すような略水平位置に定置される。このため、操作用レバーハンドル３６のレバー部４１に対して重力方向に力を加えて回転させるという人間の手にとって極めて容易な動きによって操作可能な位置を、操作用レバーハンドル３６の中立位置とすることができる。
【００３０】
ブラケット３３は、貯水タンク１０内のスピンドル３２の先端に係合する略円柱状のスピンドル係合部５４と、スピンドル係合部５４から垂下状態で連設され下端部に玉鎖３５の一端を係止する板状の玉鎖係止部５５とを備えている。スピンドル係合部５４の内部には、断面視略十字状の嵌合孔５４ａが設けられている一方、スピンドル３２の先端側、すなわち、スピンドル３２のブラケット３３側には、対応する断面視略十字状の嵌合部５６が設けられている。また、スピンドル係合部５４の外周面には、係合窓５４ｂ及び係合溝５４ｃが設けられている一方、嵌合部５６の上部には、切欠５６ａが設けられている。そして、嵌合部５６が、嵌合孔５４ａに嵌入係合されると共に、係合窓５４ｂと切欠５６ａとを一致させた状態で、別途設けた三又形状を成す止輪５７が係合窓５４ｂ及び係合溝５４ｃに上方から挿入係合されることによって、スピンドル３２とブラケット３３とが回動軸３２ａ周りに一体回転できるように連結されている。
【００３１】
このように、スピンドル３２と操作用レバーハンドル３６、及び、スピンドル３２とブラケット３３がそれぞれ回動軸３２ａ周りに一体回転できるように連結されることによって、使用者の操作用レバーハンドル３６の回動操作にスピンドル３２を介してブラケット３３が連動するようになっている。これにより、操作用レバーハンドル３６が回転操作されると、スピンドル３２の回転を介してブラケット３３も回転し、ブラケット３３に係止された玉鎖３５が上方に引き上げられ、これによって排水弁３４が上方に引き上げられて排水孔１０ｂが開放される。すると、貯水タンク１０内の水が排水孔１０ｂから排水され、配管により水洗便器２に導かれるようになっている。
【００３２】
図４に示すように、ブラケット３３、より詳しくは、ブラケット３３の玉鎖係止部５５の前面（操作用レバーハンドル３６側の面）には、一定重量の重錘６０が取り付けられている。重錘６０は、操作用レバーハンドル３６の回転操作方向に作用する重量モーメントと反対方向に作用する重量モーメントをブラケット３３に対して生起させる。なお、重錘６０は金属（黄銅製）の棒材であり、ブラケット３３を構成する合成樹脂よりも比重が大きく、その重錘６０の占める容積が小さくても必要とする重量を得ることが可能であり、効率的に重量モーメントを発生させることが可能である。
【００３３】
特に、本実施形態では、ブラケット３３に、一定重量の重錘６０を取付けて、スピンドル３２の回動軸３２ａを中心とした操作用レバーハンドル３６側の重量モーメントとブラケット３３側の重量モーメントとのバランスにより、操作用レバーハンドル３６の操作後の復帰時に操作用レバーハンドル３６が略水平位置に定置するように構成している。
【００３４】
言い換えると、図４中実線で示す操作用レバーハンドル３６の中立位置で、スピンドル３２の回動軸３２ａを中心とした、時計方向に作用する操作用レバーハンドル３６側の重量モーメントＭＬ１と、反時計方向に作用するブラケット３３側の重量モーメントＭＢ１とが等しくなるように、重錘６０がブラケット３３に取付けられる。
【００３５】
ここで、操作用レバーハンドル３６側の重量モーメントＭＬ１としては、操作用レバーハンドル３６のレバー部４１により発生する重量モーメント等が含まれ、ブラケット３３側の重量モーメントＭＢ１としては、重錘６０、ブラケット３３、及びブラケット３３に接続された玉鎖３５により発生する重量モーメント等が含まれる。
【００３６】
そして、操作用レバーハンドル３６の復帰位置、すなわち、操作用レバーハンドル３６の中立位置において、重錘６０の位置は、スピンドル３２の回動軸３２ａを中心として、操作用レバーハンドル３６の突設方向、すなわち、レバー部４１の延在方向と反対側にオフセットしている。この重錘６０のオフセットにより、スピンドル３２の回動軸３２ａを中心とした操作用レバーハンドル３６側の重量モーメントと反対方向に作用するブラケット３３側の重量モーメントをブラケット３３に生起させることができる。
【００３７】
例えば、図４に示す操作用レバーハンドル３６の中立位置では、重錘６０の位置は、スピンドル３２の回動軸３２ａを中心として、レバー部４１の延在方向と反対側にＬだけオフセットしているため、重錘６０の重量をＷとすると、図中時計方向に作用する操作用レバーハンドル３６側の重量モーメントＭＬ１に抗する反時計方向に作用する重量モーメントＷ×Ｌをブラケット３３に生起させることができる。
【００３８】
なお、ブラケット３３に代えて玉鎖３５に重錘６０を取り付けて、操作用レバーハンドル３６側の重量モーメントＭＬ１を打ち消す重量モーメントを玉鎖３５を介してブラケット３３に生起させるようにしても良い。しかし、重錘６０の取り付け位置としては、図４に実線にて示すバランス位置において回動軸３２ａからのオフセット距離Ｌが短い位置とし、重錘６０の重量を重くすることによって操作用レバーハンドル３６側の重量モーメントＭＬ１を打ち消してバランスさせるように構成したほうが、操作用レバーハンドル３６がバランス位置からずれた場合でもそのバランスの崩れが小さく、操作用レバーハンドル３６を安定して中立位置に保持することが可能であり好ましい。
【００３９】
次に、本実施形態に係る排水操作ハンドル装置３０の動作について説明する。
【００４０】
操作用レバーハンドル３６が図４中実線で示す中立位置にあるときに、レバー部４１が略水平位置にあるものとする。
【００４１】
操作用レバーハンドル３６が、使用者の手によって、スピンドル３２の回動軸３２ａを中心として、図４中実線で示す中立位置から、図４中破線で示す位置まで時計方向に回転操作されると、すなわち、レバー部４１が略水平位置から下方へ押し下げ操作されると、スピンドル３２の回転を介してブラケット３３は、上方へ回動する。このとき、スピンドル３２の回動軸３２ａを中心とした時計方向に作用する操作用レバーハンドル３６側の重量モーメントＭＬ２が、反時計方向に作用するブラケット３３側の重量モーメントＭＢ２よりも小さくなる。
【００４２】
その後、操作用レバーハンドル３６が解放されると、ブラケット３３側の重量モーメントＭＢ２の作用によって、操作用レバーハンドル３６が元の中立位置に向けて反時計方向に回動復帰しようとする。ブラケット３３側の重量モーメントＭＢ２は漸減する一方、操作用レバーハンドル３６側の重量モーメントＭＬ２は漸増し、最終的に両重量モーメントが等しくなる位置で操作用レバーハンドル３６が停止する。
【００４３】
すなわち、操作用レバーハンドル３６の中立位置で、スピンドル３２の回動軸３２ａを中心とした、時計方向に作用する操作用レバーハンドル３６側の重量モーメントＭＬ１と、反時計方向に作用するブラケット３３側の重量モーメントＭＢ１とが等しくなるように、重錘６０がブラケット３３に取り付けられているため、レバー部４１が略水平位置となるように、操作用レバーハンドル３６が図４中実線で示す中立位置に定置する。
【００４４】
このように、本実施形態では、ブラケット３３に、一定重量の重錘６０を取付けて、スピンドル３２の回動軸３２ａを中心とした操作用レバーハンドル３６側の重量モーメントとブラケット３３側の重量モーメントとのバランスにより、操作用レバーハンドル３６の操作後の復帰時に操作用レバーハンドル３６が略水平位置に定置するように構成したので、貯水タンク１０の取付孔１０ｄに歪みがあっても、この取付孔１０ｄに嵌着したボス部３１に操作用レバーハンドル３６の中立位置を当接規定するためのストッパ等を設けることなく、操作用レバーハンドル３６の中立位置を一定の位置に保持することができる。しかも、重錘６０が貯水タンク１０内のブラケット３３に設けられていることから、外部から視認されることがなく、見栄えを損ねることもない。
【００４５】
なお、本実施形態では、操作用レバーハンドル３６の操作後の復帰時に操作用レバーハンドル３６が略水平位置に定置するように構成したが、操作用レバーハンドル３６の定置位置はこれに限られず、略水平位置よりも上方又は下方に傾斜した位置でも良い。要は、ブラケット３３又は玉鎖３５に、一定重量の重錘６０を取り付けて、スピンドル３２の回動軸３２ａを中心とした操作用レバーハンドル３６側の重量モーメントとブラケット３３側の重量モーメントとのバランスにより、操作用レバーハンドル３６の操作後の復帰時に操作用レバーハンドル３６が所定の位置に定置するよう構成すれば良い。
【００４６】
ところで、本実施形態では、重錘６０は、ブラケット３３に対して着脱自在に構成している。すなわち、図４及び図５に示すように、ブラケット３３の玉鎖係止部５５には、複数の貫通孔６１が穿設されている一方、略六角柱状の重錘６０の底部には、雌ネジ孔６２が穿設されている。重錘６０は、その底面を玉鎖係止部５５の前面（操作用レバーハンドル３６側の面）に当接させた状態で、玉鎖係止部５５の後面から別途設けた雄ネジ６３を雌ネジ孔６２に螺着することによって玉鎖係止部５５に着脱自在に固定される。したがって、仮に操作用レバーハンドル３６の形状が変更された場合であっても、適宜重錘６０を交換することにより、スピンドル３２の回動軸３２ａを中心とした操作用レバーハンドル３６側の重量モーメントＭＬ１とブラケット３３側の重量モーメントＭＢ１とのバランスを容易に調整することができる。
【００４７】
また、重錘６０は、ブラケット３３に対して変位自在に構成することにより、ブラケット３３側の重量モーメントＭＢ１を変換可能に構成している。すなわち、図４及び図５に示すように、玉鎖係止部５５に穿設された複数の貫通孔６１を、玉鎖係止部５５の上下左右方向に微小な距離だけずらした状態で配置している。重錘６０の位置を複数の貫通孔６１ごとに付替えると、重錘６０とスピンドル３２の回動軸３２ａとの間の距離が変更され、重錘６０によりブラケット３３に生起される重量モーメントが変換される結果、ブラケット３３側の重量モーメントＭＢ１が変換される。したがって、操作用レバーハンドル３６の形状のバラツキ等に起因して操作用レバーハンドル３６側の重量モーメントにバラツキのある場合であっても、重錘６０を交換することなくブラケット３３側の重量モーメントを容易に調整することができる。
【００４８】
ところで、本実施形態では、操作用レバーハンドル３６の復帰作動の慣性に基づく過復帰を一定範囲に規制するためのストッパを、スピンドル３２に連動する操作用レバーハンドル３６の内部と貯水タンク１０に固定したボス部３１との間に介在している。以下、ストッパの具体的な構成について説明する。
【００４９】
図６は、ストッパの構成を示す説明図であり、説明の便宜上、操作用レバーハンドル３６の正面断面図を示している。
【００５０】
すなわち、図３及び図６に示すように、ボス部３１の傾斜フランジ３１ｂの操作用レバーハンドル３６側の面には、断面円弧形状をなすボス部側突起６４が操作用レバーハンドル３６に向かって突設されている一方、操作用レバーハンドル３６内部には、中央の筒状軸部４０ａを扇形状に切り欠いた空間である操作用レバーハンドル側空間６５がボス部側突起６４を係合できるように凹設されており、ボス部側突起６４と操作用レバーハンドル側空間６５とでストッパが構成されている。
【００５１】
扇形状の操作用レバーハンドル側空間６５は、リブ６５ａが突設された始端面６５ｂと、始端面６５ｂから筒状軸部４０ａを中心として所定の角度だけ離間した位置に配設された終端面６５ｃとを有している。
【００５２】
次に、ストッパの作用を説明する。
【００５３】
図６（ａ）は、操作用レバーハンドル３６が何ら操作されていない中立位置、すなわち、レバー部４１が略水平位置にある状態を示している。この状態では、操作用レバーハンドル側空間６５の始端面６５ｂに突設されたリブ６５ａとボス部側突起６４の右端とは、所定の距離だけ離間しており、互いに当接していない。即ち、上述したように、操作用レバーハンドル３６側の重量モーメントＭＬ１（操作用レバーハンドル３６のレバー部４１により発生する重量モーメント）と、ブラケット３３側の重量モーメントＭＢ１（重錘６０、ブラケット３３、及びブラケット３３に接続された玉鎖３５により発生する重量モーメント）とのバランスにより、操作用レバーハンドル３６に設けられたリブ６５ａとボス部３１に設けられたボス部側突起６４とは当接することなく、所定の距離だけ離間状態となっている。
【００５４】
この状態から、図６（ｂ）に示すように、操作用レバーハンドル３６を図中時計方向に９０°まで回動させると、操作用レバーハンドル側空間６５の終端面６５ｃがボス部側突起６４の左端面に当接して回動規制される。そして、このときの操作用レバーハンドル３６の回動操作によって、排水弁３４が引き上げられ、貯水タンク１０内の水が水洗便器２に導かれる。
【００５５】
一方、この状態から、操作用レバーハンドル３６が使用者の手から解放されると、図６（ｃ）に示すように、操作用レバーハンドル３６が図中反時計方向に回動復帰作動を行い、その慣性によって、中立位置、すなわち、レバー部４１の略水平位置よりも上方へ所定角度だけ過復帰しようとする。このとき、操作用レバーハンドル側空間６５の始端面６５ｂに突設されたリブ６５ａがボス部側突起６４の右端面に当接することによって、操作用レバーハンドル３６が回動規制される。その後、操作用レバーハンドル３６は、図６（ａ）に示す中立位置まで回動し復帰する。
【００５６】
このように、本実施形態では、ストッパを、スピンドル３２に連動する操作用レバーハンドル３６の内部と貯水タンク１０に固定したボス部３１との間に介在したので、操作用レバーハンドル３６の復帰作動の慣性に基づく操作用レバーハンドル３６の過復帰を防止することができる。
【００５７】
以上本発明の好ましい実施の形態について説明したが、本発明はかかる特定の実施形態に限定されるものではなく、特許請求の範囲に記載された本発明の要旨の範囲内において、種々の変形・変更が可能である。
【００５８】
例えば、排水操作ハンドル装置３０の貯水タンク１０への取り付け位置としては、貯水タンク１０の前面の壁面に限られるものではなく、側面の壁面であっても構わない。
【図面の簡単な説明】
【００５９】
【図１】本発明の実施形態に係る洗浄水タンク装置を備えたトイレ装置を示す斜視図である。
【図２】本発明の実施形態に係る洗浄水タンク装置の内部構成を示す斜視図である。
【図３】本発明の実施形態に係る洗浄水タンク装置が備えた排水操作ハンドル装置の分解斜視図である。
【図４】本発明の実施形態に係る洗浄水タンク装置が備えた排水操作ハンドル装置の正面図である。
【図５】本発明の実施形態に係る洗浄水タンク装置が備えた排水操作ハンドル装置の側断面図である。
【図６】ストッパの作用を示す説明図である。
【符号の説明】
【００６０】
１          洗浄水タンク装置
２          水洗便器
１０        貯水タンク
１０ｂ      排水孔
１０ｃ      壁面
１０ｄ      取付孔
３０        排水操作ハンドル装置
３１        ボス部
３２      スピンドル
３２ａ      回動軸
３３      ブラケット
３４      排水弁
３５      玉鎖（連結部材）
３６      操作用レバーハンドル
６０      重錘
【図１】
0005029267.tif 000002
【図２】
0005029267.tif 000003
【図３】
0005029267.tif 000004
【図４】
0005029267.tif 000005
【図５】
0005029267.tif 000006
【図６】
0005029267.tif 000007